(57)【要約】【課題】  チューナモジュールを安定に正常動作させる。【解決手段】  ２系統の入力部１２，１３を有したチューナモジュール１１に対して、単一のアンテナを有するアンテナモジュール２０を接続する場合に、アンテナモジュール２０、第１の入力部１２、及び第２の入力部１３に対して、それぞれ分配器３０の第１乃至第３のコネクタ部３２，３３，３４を接続する。第１の入力部１２から入力された駆動電圧を、第１のコネクタ部を介してアンテナに供給すると共に分岐接続部Ａを介して第２の入力部１３に出力する電圧帰還機能を備える。また、第１のコネクタ部３２と分岐接続部Ａの間に第１のコンデンサ４０、第１のアッテネータ４１、ＬＮＡ４２、第２のアッテネータ４３及び第２のコンデンサ４４が順次配設される信号レベル補償回路を備える。【選択図】  図３ 
2005198075.tif 000002
【特許請求の範囲】
【請求項１】
人工衛星から送出された衛星放送信号と地上基地局から送出された地上放送信号とのうちの一方が入力される第１の入力部と、前記衛星放送信号と前記地上放送信号とのうちの他方が入力される第２の入力部とを備えるチューナモジュールと、前記衛星放送信号と前記地上放送信号とのうちのいずれか一方を受信するアンテナとの間に配設される分配器において、
前記アンテナが接続される第１のコネクタ部と、
前記第１の入力部に接続される第２のコネクタ部と、
前記第２の入力部に接続される第３のコネクタ部と
前記第１のコネクタ部へ入力された前記入力信号を第２及び第３のコネクタ部へ分岐する分岐接続部と、を備え、
前記第２のコネクタ部を介して前記第１の入力部から入力される前記アンテナの駆動電圧を、前記第１のコネクタ部を介して前記アンテナに出力するとともに前記分岐接続部及び前記第３のコネクタ部を介して前記第２の入力部に電圧帰還する電圧帰還機能とを備えていること
を特徴とする分配器。
【請求項２】
人工衛星から送出された衛星放送信号と地上基地局から送出された地上放送信号とのうちの一方が入力される第１の入力部と、前記衛星放送信号と前記地上放送信号とのうちの他方が入力される第２の入力部とを備えるチューナモジュールと、前記衛星放送信号と前記地上放送信号とのうちのいずれか一方を受信するアンテナとの間に配設される分配器において、
前記アンテナが接続される第１のコネクタ部と、
前記第１の入力部に接続される第２のコネクタ部と、
前記第２の入力部に接続される第３のコネクタ部と
前記第１のコネクタ部へ入力された前記入力信号を第２及び第３のコネクタ部へ分岐する分岐接続部と、を備え、
前記第１のコネクタ部と分岐接続部との間に第１のコンデンサ、第１の減衰器、低雑音増幅器、第２の減衰器及び第２のコンデンサが順次配設される信号レベル補償回路を備えること
を特徴とする分配器。
【請求項３】
人工衛星から送出された衛星放送信号と地上基地局から送出された地上放送信号とのうちの一方が入力される第１の入力部と、前記衛星放送信号と前記地上放送信号とのうちの他方が入力される第２の入力部とを備えるチューナモジュールと、前記衛星放送信号と前記地上放送信号とのうちのいずれか一方を受信するアンテナとの間に配設される分配器において、
前記アンテナが接続される第１のコネクタ部と、
前記第１の入力部に接続される第２のコネクタ部と、
前記第２の入力部に接続される第３のコネクタ部と
前記第１のコネクタ部へ入力された前記入力信号を第２及び第３のコネクタ部へ分岐する分岐接続部と、を備え、
前記第１のコネクタ部と分岐接続部との間に第１のコンデンサ、第１の減衰器、低雑音増幅器、第２の減衰器及び第２のコンデンサが順次配設される信号レベル補償回路と、
前記第２のコネクタ部から入力されたアンテナ駆動電圧を、前記第１のコネクタ部と前記第１のコンデンサとの間に接続された第１のコイル及び前記第１のコイルと前記分岐接続部との間に接続された第２のコイルを介して前記アンテナに供給するとともに前記分岐接続部及び第３のコネクタ部を介して第２の入力部に電圧帰還する電圧帰還機能を有する
ことを特徴とする分配器。
【請求項４】
前記第２のコネクタ部と前記第３のコネクタ部は、第１のコネクタ部から入力された駆動電圧を第２のコネクタ部３４に帰還させる電圧のレベルを可変するスイッチングダイオードを介して短絡されていることを特徴とする請求項１，２又は３に記載の分配器。
【請求項５】
人工衛星から送出された衛星放送信号と地上基地局から送出された地上放送信号とのうちの一方が入力される第１の入力部と、前記衛星放送信号と前記地上放送信号とのうちの他方が入力される第２の入力部とを備えるチューナモジュールと、前記衛星放送信号と前記地上放送信号とのうちのいずれか一方を受信するアンテナとの間に配設される分配器とを備える放送信号受信システムにおいて、
前記分配器は、
前記アンテナが接続される第１のコネクタ部と、
前記第１の入力部に接続される第２のコネクタ部と、
前記第２の入力部に接続される第３のコネクタ部と
前記第１のコネクタ部へ入力された前記入力信号を第２及び第３のコネクタ部へ分岐する分岐接続部と、を備え、
前記第１のコネクタ部と分岐接続部との間に第１のコンデンサ、第１の減衰器、低雑音増幅器、第２の減衰器及び第２のコンデンサが順次配設される信号レベル補償回路によって、前記分岐接続部での信号損失を補償するとともに
前記第２のコネクタ部から入力されたアンテナ駆動電圧を前記アンテナに供給し、かつ前記分岐接続部及び第３のコネクタ部を介して第２の入力部に電圧帰還し、前記チューナモジュール内のアンテナ接続検知回路に供給する
ことを特徴とする放送信号受信システム。
【請求項６】
前記第２のコネクタ部と前記第３のコネクタ部は、第１のコネクタ部から入力された駆動電圧を第２のコネクタ部３４に帰還させる電圧のレベルを可変するスイッチングダイオードを介して短絡されていることを特徴とする請求項５に記載の放送信号受信システム。
【発明の詳細な説明】
【技術分野】
【０００１】
本発明は、複数の入力部を有するチューナモジュールに対してアンテナにより受信した信号を分配する分配器に関し、さらに詳しくは、一方の入力部から入力されたアンテナの駆動電圧が他方の入力部に帰還されることによりアンテナの接続を検知するチューナモジュールに対して、単一のアンテナを接続する場合に用いて好適な分配器及びそれを用いた放送信号受信システムに関する。
【背景技術】
【０００２】
近年、地球軌道を周回する人工衛星から音声情報を含む信号を送出して放送する、いわゆる衛星ラジオ放送が提案されている。現在、米国においては、このような衛星ラジオ放送がXM Satellite Radio社により提供されている。衛星ラジオ放送においては、人工衛星から送出される信号が地上の広範な地域で受信可能であることから、一般家庭などでいわば固定された場所に受信器を設置して受信・聴取するといった用途だけでなく、例えば自動車などの移動体（車両）に受信器を搭載して受信・聴取するといった用途に好適であるとして注目されている。
【０００３】
衛星ラジオ放送を受信するための車載用受信システムにおいては、部品数を低減することによる低コスト化を図る目的で、衛星ラジオ放送と従来から広く利用されている地上ラジオ放送とを単一のチューナモジュールによって受信するよう構成されている。
【０００４】
このような車載用受信システムにおいては、図５に示すように、車両に搭載された受信機１００内に、衛星ラジオ放送を受信する衛星波アンテナが接続される第１の入力部１１０、地上ラジオ放送を受信する地上波アンテナが接続される第２の入力部１１１、及び受信機１００側の各部に接続される入出力端子１１２を有するチューナモジュール１０１が配設される。また、第１の入力部１１０から入力されたアンテナ１２０の駆動電圧がアンテナ内部で帰還されて第２の入力部１１１から入力されることによって、各アンテナが接続されていることを検知するアンテナ検知回路１１３を備えている。
【０００５】
従来のチューナモジュール１０１は、衛星波アンテナ及び地上波アンテナがそれぞれ第１の入力部１１０及び第２の入力部１１１に接続された状態で、入出力端子１１２から入力された駆動電圧（駆動電力）が、第１の入力部１１０を介して各アンテナに出力され、各アンテナから第２の入力部１１１を介して帰還されることとなる。また、この状態で、各アンテナが正常に接続されていることをアンテナ検知回路１１３が検知し、チューナモジュール１０１が正常に動作することとなる。
【０００６】
【特許文献１】特開２００３−１５１３７７号公報
【発明の開示】
【発明が解決しようとする課題】
【０００７】
ところで、従来のチューナモジュール１０１は、図５に示すように例えば衛星波アンテナ及び地上波アンテナの双方を備えるアンテナモジュールが接続されるなどして、衛星波アンテナと地上波アンテナとがそれぞれ接続された場合には、上述のように正常に動作するが、衛星波又は地上波のいずれかのみを受信する単一のアンテナを接続しよした場合には、アンテナ検知回路１１３側に電圧がかからないためアンテナの接続が検知されずチューナモジュール１０１は正常な動作ができない。単一のアンテナを使用する場合は、単一アンテナに対応したチューナモジュールを使用する必要があり、製造コストの増加を招く場合がある。
【０００８】
そこで、本発明は、上述した実情に鑑みてなされたものであり、２系統の入力部を有し、各入力部で駆動電圧を帰還させることによってアンテナの接続を検知する構造とされたチューナモジュールに対して、単一のアンテナを接続する場合であっても、チューナモジュールを正常に動作させることが可能な分配器及びその放送信号受信システムを提供することを目的とする。
【課題を解決するための手段】
【０００９】
本発明に係る分配器は、人工衛星から送出された衛星放送信号と地上基地局から送出された地上放送信号とのうちの一方が入力される第１の入力部と、前記衛星放送信号と前記地上放送信号とのうちの他方が入力される第２の入力部とを備えるチューナモジュールと、前記衛星放送信号と前記地上放送信号とのうちのいずれか一方を受信するアンテナとの間に配設される分配器において、前記アンテナが接続される第１のコネクタ部と、前記第１の入力部に接続される第２のコネクタ部と、前記第２の入力部に接続される第３のコネクタ部と前記第１のコネクタ部へ入力された前記入力信号を第２及び第３のコネクタ部へ分岐する分岐接続部と、を備え、前記第２のコネクタ部を介して前記第１の入力部から入力される前記アンテナの駆動電圧を、前記第１のコネクタ部を介して前記アンテナに出力するとともに前記分岐接続部及び前記第３のコネクタ部を介して前記第２の入力部に電圧帰還する電圧帰還機能とを備えていることを特徴とするものである。
【００１０】
また、本発明に係る分配器は、人工衛星から送出された衛星放送信号と地上基地局から送出された地上放送信号とのうちの一方が入力される第１の入力部と、前記衛星放送信号と前記地上放送信号とのうちの他方が入力される第２の入力部とを備えるチューナモジュールと、前記衛星放送信号と前記地上放送信号とのうちのいずれか一方を受信するアンテナとの間に配設される分配器において、前記アンテナが接続される第１のコネクタ部と、前記第１の入力部に接続される第２のコネクタ部と、前記第２の入力部に接続される第３のコネクタ部と前記第１のコネクタ部へ入力された前記入力信号を第２及び第３のコネクタ部へ分岐する分岐接続部と、を備え、前記第１のコネクタ部と分岐接続部との間に第１のコンデンサ、第１の減衰器、低雑音増幅器、第２の減衰器及び第２のコンデンサが順次配設される信号レベル補償回路を備えることを特徴とするものである。
【００１１】
また、本発明に係る放送信号受信システムは、人工衛星から送出された衛星放送信号と地上基地局から送出された地上放送信号とのうちの一方が入力される第１の入力部と、前記衛星放送信号と前記地上放送信号とのうちの他方が入力される第２の入力部とを備えるチューナモジュールと、前記衛星放送信号と前記地上放送信号とのうちのいずれか一方を受信するアンテナとの間に配設される分配器とを備える放送信号受信システムにおいて、
前記分配器は、前記アンテナが接続される第１のコネクタ部と、前記第１の入力部に接続される第２のコネクタ部と、前記第２の入力部に接続される第３のコネクタ部と前記第１のコネクタ部へ入力された前記入力信号を第２及び第３のコネクタ部へ分岐する分岐接続部と、を備え、前記第１のコネクタ部と分岐接続部との間に第１のコンデンサ、第１の減衰器、低雑音増幅器、第２の減衰器及び第２のコンデンサが順次配設される信号レベル補償回路によって、前記分岐接続部での信号損失を補償するとともに前記第２のコネクタ部から入力されたアンテナ駆動電圧を前記アンテナに供給し、かつ前記分岐接続部及び第３のコネクタ部を介して第２の入力部に電圧帰還し、前記チューナモジュール内のアンテナ接続検知回路に供給することを特徴とするものである。
【発明の効果】
【００１２】
以上のように構成された本発明に係る分配器及び放送信号受信システムは、２入力を必要とするチューナモジュールに対し単一のアンテナを接続する場合であっても、チューナモジュールを正常に動作させることが可能となる。これにより、２系統の入力部を有するチューナモジュールを、２つのアンテナを接続する場合と、単一のアンテナを接続する場合とで共用することができ、製品コストの低減に寄与することができる。
【００１３】
また、低雑音増幅器を信号分配前に設けることにより、従来分配後の２系統に対し必要としていた増幅器を、１系統にのみ設ればよくコストが低減できる。
【発明を実施するための最良の形態】
【００１４】
以下、本発明の実施の形態について、図面を参照しながら詳細に説明する。以下では、本発明を適用した分配器を備える受信システムとして、図１に示す受信システム１０を例示して説明する。なお、受信システム１０は、自動車などの車両に搭載して用いられる、いわゆる車載用ラジオ放送受信システムに適用した形態であるが、本発明は、車載用ラジオ放送受信システムへの適用に限定されるものではないことは勿論である。
【００１５】
受信システム１は、図１に示すように、車両に搭載された受信機１０内に、衛星ラジオ放送を受信する衛星波アンテナが接続される第１の入力部１２、地上ラジオ放送を受信する地上波アンテナが接続される第２の入力部１３、及び受信機１０側の各部に接続される入出力端子１４を有するチューナモジュール１１が配設される。また、チューナモジュール１１は、第１の入力部１２から入力されたアンテナの駆動電圧が第２の入力部１３を介して帰還されることによって、各アンテナが接続されていることを検知するアンテナ検知回路１５を備えている。
【００１６】
チューナモジュール１１は、衛星波アンテナ及び地上波アンテナがそれぞれ第１の入力部１２及び第２の入力部１３に接続された状態で、入出力端子１４から入力された駆動電圧（駆動電力）が、第１の入力部１２を介して各アンテナに出力され、各アンテナから第２の入力部１３を介して帰還されることとなる。また、この状態で、各アンテナが正常に接続されていることをアンテナ検知回路１５が検知するとともに、第２の入力部１３から入力された駆動電圧によってチューナモジュール１５が正常に動作することとなる。
【００１７】
以上のように構成されたチューナモジュール１１に対して、図１に示すように、例えば衛星波アンテナのみを備えるアンテナモジュール２０を接続する場合には、チューナモジュール１１とアンテナモジュール２０との間に、本発明に係る信号分配器３０が配設される。
【００１８】
なお、本実施の形態においては、アンテナモジュール２０が衛星波アンテナのみを備える場合を想定して説明するが、アンテナモジュール２０が地上波アンテナのみを備える場合にも以下の説明と同様な作用・効果を奏することは勿論である。
【００１９】
分配器３０は、図２に示すように、後述する電圧帰還機能及び信号レベル補償回路を収納する本体ケース３１と、アンテナモジュール２０が接続される第１のコネクタ部３２と、チューナモジュール１１の第１の入力部１２に接続される第２のコネクタ部３３と、チューナモジュール１１の第２の入力部１３に接続される第３のコネクタ部３４とを備えている。また、本体ケース３１と第２のコネクタ部３３及び第３のコネクタ部３４との間は、それぞれ第１の信号ケーブル３５及び第２の信号ケーブル３６で接続されている。
【００２０】
つぎに、本体ケース３１内に収納される電圧帰還機能及び信号レベル補償回路の回路構成の一例について、図３を参照しながら説明する。
【００２１】
分配器３０に備えられる回路は、例えば図３に示すように、第１乃至第３のコネクタ３２，３３，３４が分岐接続部Ａで電気的に接続されてなる。また、第１のコネクタ３２と分岐接続部Ａとの間には、第１のコネクタ３２側から順次、第１のコンデンサ４０、第１のアッテネータ（減衰器）４１、低雑音増幅器（ＬＮＡ：Low Noise Amplifier）４２、第２のアッテネータ４３、及び第２のコンデンサ４４が配設されている。第１のコンデンサ４０の第１のコネクタ３２側の端子は、第１のコイル４５と、第２のコイル４６とを介して分岐接続部Ａにも接続されている。また、ＬＮＡ４２は、第３のコイル４７と第２のコイル４６とを介して分岐接続部Ａにも接続されている。
【００２２】
上述した回路構成を有する分配器３０においては、アンテナモジュール２０から出力された信号が第１のコネクタ部３２から入力され、第２のコネクタ部３３へ出力される。また、分岐接続部Ａで分岐される信号は、分岐接続点Ａの前段に設けられたＬＮＡ４２によって、信号分岐時の信号レベル損失分の約３ｄＢ（入力信号レベルの約１／２）及び第１乃至第３のコネクタ部３２，３３，３４における接点損失（およそ１ｄＢ相当）を補償して信号レベルを増幅する。
【００２３】
また、信号の分岐・分配による損失に加えて、例えば本体ケース３１とアンテナモジュール２０或いはチューナモジュール１１との間を接続するケーブルによるケーブル損失を補償して信号レベルを増幅するとしてもよい。また、十分な増幅特性を確保することができれば、ＬＮＡ４２の代わりに他の各種増幅器を用いるとしてもよい。
【００２４】
上述のＬＮＡ４２は、分岐接続部Ａの前段に設けられており信号分岐前に信号増幅している。これにより、通常は分配後の２系統それぞれに対し増幅器を設ける必要があるところを、一系統のみに設けるだけでよくコストが削減できるものである。
【００２５】
また、第２のコネクタ部３３から入力された駆動電圧は、分岐接続部Ａで分岐され、第２のコイル４６及び第１のコイル４５を介して第１のコネクタ部３２からアンテナモジュール２０に対して出力される。また、分岐接続部Ａで分岐された駆動電圧は、第３のコネクタ部３４に出力される。さらに分岐接続部Ａで分岐され、アンテナモジュール２０に出力される駆動電圧の一部は、第３のコイル４７を介してＬＮＡ４２に入力される。
【００２６】
すなわち、分配器３０は、図３に示す構成の回路を備えることにより、この回路が全体として、第１のコネクタ部３２、第２のコネクタ部３３、及び第３のコネクタ部３４とを電気的に接続する分配回路として機能する一方で、第２のコネクタ部３３を介して第１の入力部１２から入力される駆動電圧を、第１のコネクタ部３２を介してアンテナモジュール２０に出力するとともに第３のコネクタ部３４を介して第２の入力部１３に出力する電圧れターン回路としても機能することとなる。
【００２７】
このため、２系統の入力部を有し、各入力部で駆動電圧を帰還させることによってアンテナの接続を検知する構造とされたチューナモジュール（チューナモジュール１１）に対して、単一のアンテナ（アンテナモジュール２０）を接続する場合であっても、このチューナモジュールを正常に動作させることが可能となる。これにより、２系統の入力部を有するチューナモジュールを、２つのアンテナを接続する場合と、単一のアンテナを接続する場合とで共用することができ、製品コストの低減に寄与することができる。
【００２８】
ここで、図３に示した回路構成の変形例について、図４を参照しながら説明する。なお、図４に示す回路構成は、図３に示す回路構成とほぼ同様であり、この構成の奏する作用及び効果も図３に示す構成と同様であるため、以下では、図３に示す回路構成との相違点のみについて説明する。
【００２９】
図４に示す変形例においては、第２のコイル４６と分岐接続部Ａとの間、及び分岐接続部Ａと第３のコネクタ部３４との間に、それぞれ第３及び第４のコイル５０，５１が配設されている。また、第２のコネクタ部３３と第３のコネクタ部３４とが、スイッチングダイオード５２を介して短絡されている。
【００３０】
以上のように構成された変形例に係る分配器３０は、スイッチングダイオード５２がいわばバイパス回路として機能し、第１のコネクタ部３３から入力された駆動電圧を第２のコネクタ部３４に帰還させるに際して、帰還させる電圧のレベルを可変とすることができる。
【図面の簡単な説明】
【００３１】
【図１】本発明の実施の形態として例示する分配器を用いた受信システムの概略を示す概略構成図である。
【図２】同分配器の外観を示す平面図である。
【図３】同分配器に備えられる回路の構成を示す回路図である。
【図４】同分配器に備えられる回路の別の構成を示す回路図である。
【図５】従来の分配器を用いた受信システムの概略を示す概略構成図である。
【符号の説明】
【００３２】
１０    受信機
１１    チューナモジュール
１２    第１の入力部
１３    第２の入力部
１４    入出力部
１５    アンテナ接続検知回路
２０    アンテナモジュール
３０    分配器
３２    第１のコネクタ部
３３    第２のコネクタ部
３４    第３のコネクタ部
４２    ＬＮＡ（低雑音増幅器）
Ａ      分岐接続部
【図１】
2005198075.tif 000003
【図２】
2005198075.tif 000004
【図３】
2005198075.tif 000005
【図４】
2005198075.tif 000006
【図５】
2005198075.tif 000007